(57)【要約】【課題】原稿のサイズに関わらず、原稿台と前記原稿台を覆うカバー部に設けられた原稿の収容部との間での前記原稿の入れ替えを容易な画像処理装置を提供すること。【解決手段】画像処理装置１０は、ヒンジ４と、カバー部２１と、原稿押さえ部２２と、ロック部２４とを備える。カバー部２１は、ヒンジ４によって支持され、閉位置と開位置との間で回動可能である。原稿押さえ部２２は、カバー部２１におけるヒンジ４寄りの位置に留められた第１縁部２２ｘを中心にして、カバー部２１の原稿台３側の面に対して収容空間２０を隔てて沿う基準位置から離隔位置へ回動可能である。ロック部２４は、原稿押さえ部２２を前記基準位置に保持するとともにその保持を解除可能である。【選択図】図４
2017183976.tif 000002
【特許請求の範囲】
【請求項１】
装置本体の原稿台に載置された原稿の画像を処理する画像処理装置であって、
前記装置本体に設けられたヒンジと、
前記ヒンジによって支持され、前記原稿台を覆う閉位置と前記原稿台上を開放する開位置との間で回動可能なカバー部と、
前記カバー部における前記ヒンジ寄りの位置に留められた第１縁部を有し、前記第１縁部を中心にして、前記カバー部の前記原稿台側の面に対して前記原稿を収容可能な収容空間を隔てて沿う基準位置から前記原稿台側へ離れた離隔位置へ回動可能であり、前記カバー部が前記閉位置に位置するときに前記原稿台上の前記原稿に接する原稿押さえ部と、
前記原稿押さえ部を前記基準位置に保持するとともにその保持を解除可能なロック部と、を備え、
前記原稿押さえ部が前記離隔位置に位置するときに、前記原稿押さえ部における前記第１縁部に対し反対の第２縁部と前記カバー部との間に、前記収容空間に通ずる前記原稿の挿入口が形成される、画像処理装置。
【請求項２】
前記原稿押さえ部の前記第１縁部と前記カバー部との間に前記収容空間から外部に通じる開口が形成されている、請求項１に記載の画像処理装置。
【請求項３】
前記原稿押さえ部の両側縁部と前記カバー部とを連結し伸縮可能な蛇腹部を備える、請求項１または請求項２に記載の画像処理装置。
【請求項４】
前記ロック部が面ファスナーである、請求項１から請求項３のいずれか１項に記載の画像処理装置。
【請求項５】
前記ロック部は、前記原稿押さえ部の前記第２縁部を前記カバー部に留めることにより、前記原稿押さえ部を前記基準位置に保持するとともに前記挿入口を塞ぎ、前記ロック部による前記原稿押さえ部の保持が解除されることにより前記挿入口が形成される、請求項１から請求項４のいずれか１項に記載の画像処理装置。
【請求項６】
前記ロック部は、前記挿入口が形成された状態で前記原稿押さえ部を前記基準位置に保持し、
前記原稿押さえ部の前記第２縁部とこれに対向する前記カバー部の一部とが挟持されることにより、前記原稿押さえ部の前記第２縁部が前記カバー部に近接して前記挿入口が閉じる、請求項１から請求項４のいずれか１項に記載の画像処理装置。
【請求項７】
前記収容空間を複数の空間に仕切る仕切部を備える、請求項１から請求項６のいずれか１項に記載の画像処理装置。
【発明の詳細な説明】
【技術分野】
【０００１】
本発明は、原稿台に載置された原稿の画像を処理する画像処理装置に関する。
【背景技術】
【０００２】
一般に、原稿の画像を読み取る機能を備えたスキャナーおよび複写機などの画像処理装置は、前記原稿が載置される原稿台（プラテンガラス）と、前記原稿台を覆うカバー部とを備える。前記カバー部は、装置本体に設けられヒンジにより、前記原稿台を覆う閉位置と前記原稿台上を開放する開位置との間で回動可能に支持される。
【０００３】
また、前記原稿の一時的な収容場所である原稿収容部が前記カバー部に設けられること、および、前記カバー部の一部が前記原稿台側の反対側へ開くことにより、前記原稿収容部の入口が広がることが知られている（例えば、特許文献１参照）。
【先行技術文献】
【特許文献】
【０００４】
【特許文献１】特開昭６０−８９４５号公報
【発明の概要】
【発明が解決しようとする課題】
【０００５】
ところで、前記カバー部における前記原稿収容部の入口を広げる部分が、前記原稿台側の反対側へ開く場合、前記原稿台と前記原稿収容部との間での前記原稿の入れ替えは、以下に示されるような手順での操作を要する。
【０００６】
まず、前記カバー部が開かれ、前記原稿台上の前記原稿が取り除かれる。次に、前記カバー部が閉じられ、前記原稿台上から取り除かれた前記原稿が、前記原稿収容部の前記原稿と取り替えられる。さらに、前記カバー部が開かれ、前記原稿が前記原稿台上に置かれた後、前記カバー部が閉じられる。
【０００７】
前記原稿の入れ替えごとに上記操作を行うことは手間であるため、より簡易に前記原稿の入れ替えを行えることが望まれる。さらに、サイズの小さな前記原稿の入れ替えを容易に行えることも望まれる。
【０００８】
本発明の目的は、原稿台を覆うカバー部が、原稿の一時的な収容場所である原稿収容部を備える場合に、前記原稿のサイズに関わらず、前記原稿台と前記原稿収容部との間での前記原稿の入れ替えが容易な画像処理装置を提供することにある。
【課題を解決するための手段】
【０００９】
本発明の一の局面に係る画像処理装置は、装置本体の原稿台に載置された原稿の画像を処理する装置である。前記画像処理装置は、ヒンジと、カバー部と、原稿押さえ部と、ロック部とを備える。前記ヒンジは、前記装置本体に設けられている。前記カバー部は、前記ヒンジによって支持され、前記原稿台を覆う閉位置と前記原稿台上を開放する開位置との間で回動可能である。前記原稿押さえ部は、前記カバー部における前記ヒンジ寄りの位置に留められた第１縁部を有する。前記原稿押さえ部は、前記第１縁部を中心にして、前記カバー部の前記原稿台側の面に対して前記原稿を収容可能な収容空間を隔てて沿う基準位置から前記原稿台側へ離れた離隔位置へ回動可能である。前記原稿押さえ部は、前記カバー部が前記閉位置に位置するときに前記原稿台上の前記原稿に接する。前記ロック部は、前記原稿押さえ部を前記基準位置に保持するとともにその保持を解除可能である。
【発明の効果】
【００１０】
本発明によれば、原稿台を覆うカバー部が、原稿の一時的な収容場所である原稿収容部を備える場合に、前記原稿のサイズに関わらず、前記原稿台と前記原稿収容部との間での前記原稿の入れ替えが容易な画像処理装置を提供することが可能になる。
【図面の簡単な説明】
【００１１】
【図１】図１は、第１実施形態に係る画像処理装置の構成図である。
【図２】図２は、第１実施形態に係る画像処理装置の側面である。
【図３】図３は、第１実施形態に係る基準状態の画像処理装置の斜視図である。
【図４】図４は、第１実施形態に係る原稿押さえ離隔状態の画像処理装置の斜視図である。
【図５】図５は、第１実施形態に係る原稿押さえ離隔状態の画像処理装置の一部省略斜視図である。
【図６】図６は、第２実施形態に係る画像処理装置における原稿カバーユニットの正面である。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［第１実施形態］
第１実施形態に係る画像処理装置１０は、画像読取部１、透明のプラテンガラス３および原稿カバーユニット２などを備える。例えば、画像処理装置１０は、複写機、ファクシミリまたは複合機などである。
【００１４】
なお、不図示のＡＤＦ（Auto Document Feeder）が、原稿カバーユニット２に組み込まれている場合もある。
【００１５】
画像処理装置１０は、プラテンガラス３に載置された原稿９の画像の画像処理を行う装置である。原稿９は、画像の読み取り対象となるシート材である。プラテンガラス３は、原稿９が載置される透明な原稿台であり、画像処理装置１０の本体部１００の上面を形成している。
【００１６】
前記画像処理は、原稿９の画像を読み取る画像読取処理を含み、さらに、原稿９から読み取った画像のデータを加工または不図示の通信部を通じて他装置へ転送する処理などを含む。
【００１７】
また、画像処理装置１０が、原稿９から読み取った画像を用紙などの不図示のシートに形成する画像形成部を含む場合、前記画像形成部の処理も前記画像処理の一例である。例えば、前記画像形成部は、電子写真方式またはインクジェット方式などによる前記画像形成処理を実行する。
【００１８】
図２に示されるように、原稿カバーユニット２は、本体部１００に設けられたヒンジ４によって回動可能に支持されている。原稿カバーユニット２は、プラテンガラス３を上から覆う閉位置とプラテンガラス３上を解放する開位置との間で回動可能である。
【００１９】
画像読取部１は、前記画像読取処理において、プラテンガラス３上の原稿９に光を走査しつつ、反射光の光量に応じた画像データを出力する。この画像読取処理により、原稿９の画像が画像読取部１によって読み取られる。
【００２０】
画像読取部１において、移動機構１１ａが、光源１２を含む移動ユニット１１をプラテンガラス３に沿って移動させる。光源１２からプラテンガラス３上の原稿９に光が照射され、原稿９からの反射光が、複数の反射ミラー１３およびレンズ１４を通じてイメージセンサー１５の受光部へ導かれる。
【００２１】
イメージセンサー１５は、前記反射光の光量を画素毎に検出し、検出した画素毎の光量のデータを前記画像データとして出力する。
【００２２】
図１に示されるイメージセンサー１５はＣＣＤ（Charge Coupled Device）である。なお、光源１２、レンズ１４およびイメージセンサー１５が一体に形成された密着イメージセンサー（ＣＩＳ）が採用されることも考えられる。この場合、移動ユニット１１は前記ＣＩＳを含む。
【００２３】
ところで、原稿９の一時的な収容場所である原稿収容部が原稿カバーユニット２に設けられる場合がある。原稿カバーユニット２における前記原稿収容部の入口を広げる部分が、プラテンガラス３側の反対側へ開く場合、プラテンガラス３と前記原稿収容部との間での原稿９の入れ替えは、以下に示されるような手順での操作を要する。
【００２４】
まず、原稿カバーユニット２が開かれ、プラテンガラス３上の原稿９が取り除かれる。次に、原稿カバーユニット２が閉じられ、プラテンガラス３上から取り除かれた原稿９が、前記原稿収容部の原稿９と取り替えられる。さらに、原稿カバーユニット２が開かれ、原稿９がプラテンガラス３上に置かれた後、原稿カバーユニット２が閉じられる。
【００２５】
原稿９の入れ替えごとに上記操作を行うことは手間であるため、より簡易に原稿９の入れ替えを行えることが望まれる。さらに、サイズの小さな原稿９の入れ替えを容易に行えることも望まれる。
【００２６】
画像処理装置１０は、原稿９のサイズに関わらず、プラテンガラス３と原稿９を収容する部分との間での原稿９の入れ替えを容易にする構造を備える。以下、その構造について説明する。
【００２７】
画像処理装置１０の原稿カバーユニット２は、原稿カバー基部２１と、原稿押さえ部２２と、ロック部２４と、蛇腹部２５とを備える。なお、図５において、蛇腹部２５の具体的な描画が省略されており、蛇腹部２５の輪郭の一部のみが二点鎖線で示されている。
【００２８】
原稿カバー基部２１は、ヒンジ４によって支持され、前記閉位置と前記開位置との間で回動可能である。原稿カバー基部２１は、画像処理装置１０の上面側の外装を形成している。なお、原稿カバー基部２１はプラテンガラス３を覆う開閉式のカバー部の一例である。
【００２９】
原稿押さえ部２２は、原稿カバー基部２１におけるヒンジ４寄りの位置に留められた第１縁部２２ｘを有する。以下の説明において、原稿押さえ部２２における第１縁部２２ｘに対し反対側の縁部、即ち、ヒンジ４から遠い側の縁部のことを第２縁部２２ｙと称する。
【００３０】
原稿押さえ部２２は、硬質な基板部２２ａと、基板部２２ａにおけるプラテンガラス３側の面に形成された弾性部２２ｂとを含む。
【００３１】
図２，５に示されるように、基板部２２ａの第１縁部２２ｘが、可撓性の連結部２３によって原稿カバー基部２１におけるヒンジ４寄りの部分に連結されている。連結部２３が変形可能であるため、基板部２２ａが第１縁部２２ｘを中心にして回動可能である。なお、連結部２３が、原稿カバー基部２１に設けられた機械式のヒンジであることも考えられる。
【００３２】
基板部２２ａは、原稿押さえ部２２全体を平板状に維持する部材である。例えば、基板部２２ａが合成樹脂の板材であることが考えられる。
【００３３】
原稿カバーユニット２が前記閉位置に位置するときに、弾性部２２ｂがプラテンガラス３上の原稿９に直接接し、原稿９全体をプラテンガラス３に対して密接させる。例えば、弾性部２２ｂが基板部２２ａに貼り付けられた発泡スチロールなどの発泡材料のパネルであることが考えられる。
【００３４】
原稿押さえ部２２は、第１縁部２２ｘを中心にして、原稿カバー基部２１のプラテンガラス３側の面に対して収容空間２０を隔てて沿う基準位置からプラテンガラス３側へ離れた離隔位置へ回動可能である。収容空間２０は、原稿９を収容可能な空間である。
【００３５】
図２，３は、原稿押さえ部２２が前記基準位置に位置する状態を示し、図４は、原稿押さえ部２２が前記離隔位置に位置する状態を示す。
【００３６】
ロック部２４は、原稿押さえ部２２を前記基準位置に保持する部分である。ロック部２４は、前記基準位置への原稿押さえ部２２の保持を解除可能に構成されている。本実施形態において、ロック部２４は、取り扱いが容易であるとともに低コストな面ファスナーである。
【００３７】
前記面ファスナーであるロック部２４は、複数のループ状の起毛が形成されたループ形成部２４ａと、前記ループ状の起毛に係合可能な複数のフック状の起毛が形成されたフック形成部２４ｂとを含む。ループ形成部２４ａおよびフック形成部２４ｂの一方が原稿カバー基部２１に設けられ、他方が原稿押さえ部２２の基板部２２ａに設けられている。
【００３８】
図４，５に示される例では、ループ形成部２４ａが原稿カバー基部２１に設けられており、フック形成部２４ｂが基板部２２ａに設けられている。なお、ロック部２４が、原稿カバー基部２１および原稿押さえ部２２の一方に設けられた磁石と他方に設けられた鉄などの強磁性体とにより構成されることも考えられる。
【００３９】
図４に示されるように、少なくとも原稿押さえ部２２が前記離隔位置に位置するときに、原稿押さえ部２２における第２縁部２２ｙと原稿カバー基部２１との間に、収容空間２０に通ずる原稿９の挿入口２０ａが形成される。
【００４０】
より具体的には、ロック部２４は、原稿押さえ部２２の第２縁部２２ｙをカバー部２０に留めることにより、原稿押さえ部２２を前記基準位置に保持するとともに挿入口２０ａを塞ぐ。そして、ロック部２４による原稿押さえ部２２の保持が解除されることにより、原稿９の挿入口２０ａが、原稿押さえ部２２の第２縁部２２ｙと原稿カバー基部２１との間に形成される。
【００４１】
画像処理装置１０において、収容空間２０を形成する原稿カバー基部２１、原稿押さえ部２２、連結部２３およびロック部２４が、原稿９を一時的に収容可能な前記原稿収容部の一例を構成している。
【００４２】
画像処理装置１０においては、原稿カバーユニット２が開かれた状態のまま、原稿押さえ部２２を手前のプラテンガラス３側へ回動させることによって原稿９の挿入口２０ａを広げることが可能である。従って、原稿カバーユニット２が開かれた状態のまま、プラテンガラス３と収容空間２０との間での原稿９の入れ替えを容易に行うことができる。
【００４３】
さらに、原稿押さえ部２２が、ヒンジ４寄りの第１縁部２２ｘを中心に回動可能であるため、原稿９の挿入口２０ａを大きく広げることが可能である。従って、サイズの小さな原稿９の入れ替えも容易である。また、ペンなどの小物が収容空間２０内に落ちてしまった場合でも、その小物を容易に取り出すことができる。
【００４４】
また、画像処理装置１０において、原稿カバーユニット２は、原稿押さえ部２２の両側縁部２２ｚと原稿カバー基部２１とを連結し伸縮可能な一対の蛇腹部２５を備える。一対の蛇腹部２５は、原稿カバーユニット２が開閉される際に、原稿９が収容空間２０からその側方へ落下することを防ぐ。
【００４５】
さらに、一対の蛇腹部２５は、原稿押さえ部２２が原稿カバー基部２１から離れる範囲を制限する。従って、一対の蛇腹部２５は、原稿押さえ部２２が過度に手前に倒れることによって原稿９が収容空間２０から手前に落下することを防止する役割も果たす。
【００４６】
また、図５に示されるように、原稿押さえ部２２の第１縁部２２ｘと原稿カバー基部２１との間に収容空間２０から外部に通じる開口２０ｂが形成されている。これにより、原稿９を束ねるクリップなどのように、ユーザーが収容空間２０の奥から手で取り出すことが難しい非常に小さな小物は、自然に開口２０ｂを通じて収容空間２０から排除される。
【００４７】
［第２実施形態］
次に、図６を参照しつつ、第２実施形態に係る画像処理装置１０ｘについて説明する。図６において、図１〜５に示される構成要素と同じ構成要素は、同じ参照符号が付されている。以下、画像処理装置１０ｘにおける画像処理装置１０と異なる点について説明する。
【００４８】
画像処理装置１０ｘは、画像処理装置１０の構成に仕切部２６が追加された構成を備える。仕切部２６は、収容空間２０を複数の区画空間２０ｃに仕切る。
【００４９】
図６に示される例では、仕切部２６は、一対の蛇腹部２５の一方から他方に亘って板状に延びて形成された部分である。図６に示される仕切部２６は、収容空間２０を原稿カバー基部２１側の区画空間２０ｃと原稿押さえ部２２側の区画空間２０ｃとの２つに仕切っている。
【００５０】
仕切部２６が採用されることにより、ユーザーは、例えば未処理の原稿９および処理済みの原稿９などのように、区分したい原稿９を混在しないように複数の区画空間２０ｃに分けて挿入することができる。
【００５１】
[応用例]
以上に示された画像処理装置１０，１０ｘにおいて、一対の蛇腹部２５が伸縮可能な弾性シートなどに置き換えられることなども考えられる。
【００５２】
また、画像処理装置１０，１０ｘにおいて、ロック部２４の代わりに、一対の蛇腹部２５が、形状維持力によって原稿押さえ部２２を前記基準位置に保持するロック部として機能することも考えられる。この場合、一対の蛇腹部２５は、挿入口２０ａが形成された状態で原稿押さえ部２２を前記基準位置に保持する。この場合の一対の蛇腹部２５は、原稿押さえ部２２を前記基準位置に保持する弾性部材の一例である。
【００５３】
そして、ユーザーが、一対の蛇腹部２５の前記形状維持力に抗して原稿押さえ部２２の第２縁部２２ｙを原稿カバー基部２１から手前へ引き離すことにより、前記基準位置への原稿押さえ部２２の保持が解除され、原稿押さえ部２２が前記離隔位置へ回動する。また前記ユーザーが原稿押さえ部２２を手前に引く力を緩めることにより、一対の蛇腹部２５が元の形状へ収縮し、原稿押さえ部２２が前記基準位置に戻る。
【００５４】
また、原稿押さえ部２２の第２縁部２２ｙとこれに対向する原稿カバー基部２１の一部とがユーザーによって挟持されることにより、一対の蛇腹部２５が元の形状よりも収縮する。これにより、原稿押さえ部２２の第２縁部２２ｙが原稿カバー基部２１に近接し、挿入口２０ａが閉じられる。従って、前記ユーザーが、第２縁部２２ｙおよび原稿カバー基部２１の一部を挟持しつつ原稿カバーユニット２を開閉することにより、原稿９が収容空間２０から脱落することを防止することができる。
【００５５】
なお、本発明に係る画像処理装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００５６】
１      ：画像読取部
２      ：原稿カバーユニット
３      ：プラテンガラス
４      ：ヒンジ
９      ：原稿
１０，１０ｘ：画像処理装置
１１    ：移動ユニット
１１ａ  ：移動機構
１２    ：光源
１３    ：反射ミラー
１４    ：レンズ
１５    ：イメージセンサー
２０    ：収容空間
２０ａ  ：原稿の挿入口
２０ｂ  ：開口
２０ｃ  ：区画空間
２１    ：原稿カバー基部
２２    ：原稿押さえ部
２２ａ  ：基板部
２２ｂ  ：弾性部
２２ｘ  ：原稿押さえ部の第１縁部
２２ｙ  ：原稿押さえ部の第２縁部
２２ｚ  ：原稿押さえ部の両側縁部
２３    ：連結部
２４    ：ロック部
２４ａ  ：ループ形成部
２４ｂ  ：フック形成部
２５    ：蛇腹部
２６    ：仕切部
１００  ：本体部
【図１】
2017183976.tif 000003
【図２】
2017183976.tif 000004
【図３】
2017183976.tif 000005
【図４】
2017183976.tif 000006
【図５】
2017183976.tif 000007
【図６】
2017183976.tif 000008